(57)【要約】【課題】画像データをオンラインストレージサービス等の記憶装置に送信する際の利便性を向上させる。【解決手段】原稿５０とともにスキャンされた付箋５２の色等の付箋情報に基づいて、オンラインストレージサービス等の記憶装置が決定され、決定された記憶装置に画像データが自動的に送信される。つまり、画像データの送信先に応じた付箋とともに、原稿をスキャンすることで、原稿の画像データを、記憶装置に送信することが可能となる。これにより、オンラインストレージサービス等の記憶装置にデータを送信する際に送信先を選択する必要がなくなり、利便性が向上する。【選択図】図２
2015026978.tif 000002
【特許請求の範囲】
【請求項１】
プロセッサを備える画像情報処理装置であって、
前記プロセッサは、
原稿と付箋とをともにスキャンして得られる画像情報を取得する画像情報取得手段と、
前記画像情報取得手段が前記画像情報を取得したときに、付箋の色と付箋に記された記号と付箋の形状と付箋の寸法と付箋の向きとの少なくとも１つを含む付箋情報を、前記画像情報から取得する付箋情報取得手段と、
前記付箋情報と、前記画像情報処理装置の外部に設けられた記憶装置に所定の情報を送信するために必要な情報である送信情報とを関連付けて記憶部に記憶させる記憶制御手段と、
前記付箋情報取得手段によって前記付箋情報が取得されたときに、前記付箋情報取得手段によって取得された付箋情報と関連付けて前記記憶部に記憶されている送信情報に基づいて、前記画像情報を前記記憶装置にあてて通信部に送信させる画像情報送信制御手段と、
して機能することを特徴とする画像情報処理装置。
【請求項２】
前記記憶装置は、１以上の記憶領域を備えており、
前記記憶制御手段は、
前記付箋情報と、前記送信情報と、前記記憶装置の前記１以上の記憶領域のいずれかを前記記憶装置に指示する領域指示情報と、を関連付けて記憶部に記憶させ、
前記画像情報送信制御手段は、
前記付箋情報取得手段によって前記付箋情報が取得されたときに、前記付箋情報取得手段によって取得された付箋情報と関連付けて前記記憶部に記憶されている送信情報に基づいて、前記画像情報と前記領域指示情報とを前記記憶装置にあてて前記通信部に送信させることを特徴とする請求項１に記載の画像情報処理装置。
【請求項３】
前記付箋情報は、付箋の色と付箋に記された記号であり、
前記記憶制御手段は、
付箋の色と付箋に記された記号との一方と、前記送信情報とを関連付けて前記記憶部に記憶させ、付箋の色と付箋に記された記号との他方と、前記領域指定情報とを関連付けて前記記憶部に記憶させ、
前記画像情報送信制御手段は、
前記付箋情報取得手段によって、付箋の色と付箋に記された記号とを含む前記付箋情報が取得されたときに、付箋の色と付箋に記された記号との一方に関連付けて前記記憶部に記憶されている送信情報に基づいて、通信部に前記画像情報と、付箋の色と付箋に記された記号との他方に関連付けて前記記憶部に記憶されている前記領域指示情報と、を前記記憶装置にあてて前記通信部に送信させることを特徴とする請求項２に記載の画像情報処理装置。
【請求項４】
前記プロセッサは、
ユーザが入力した前記送信情報、および、前記領域指示情報をユーザ入力受付部が受付けたときに、前記ユーザ入力受付部が受け付けた前記送信情報、および、前記領域指示情報を取得するユーザ入力情報取得手段として機能し、
前記記憶制御手段は、
前記付箋情報取得手段によって前記付箋情報が取得されたときに、ユーザ入力情報取得手段が取得した前記送信情報、および、前記領域指示情報を、前記付箋情報取得手段によって取得された前記付箋情報と関連付けて前記記憶部に記憶させることを特徴とする請求項２または３に記載の画像情報処理装置。
【請求項５】
前記付箋情報取得手段によって前記付箋情報が取得され、かつ、前記付箋情報取得手段によって取得された前記付箋情報が、前記記憶手段に前記送信情報と関連付けて記憶されていない場合に、前記送信先情報、および、前記領域指示情報の入力の要求を報知部が前記ユーザに報知するよう、報知情報を出力する報知情報出力手段を備え、
前記記憶制御手段は、
前記報知情報出力手段が前記報知情報を出力した後に、前記ユーザ入力情報取得手段が取得した前記送信情報、および、前記領域指示情報と、前記付箋情報取得手段によって取得された前記付箋情報とを関連付けて前記記憶部に記憶させることを特徴とする請求項４に記載の画像情報処理装置。
【請求項６】
前記画像情報取得手段は、
スキャナのフラットベッドに付箋と原稿とがともに載置され、かつ、前記スキャナの連続自動読み取り装置にも原稿が載置されている場合に、前記スキャナのフラットベッドに載置された付箋と原稿とをともにスキャンして得られる情報を前記画像情報として取得し、前記スキャナの連続自動読み取り装置に載置された原稿をスキャンして得られる情報を、自動読み取り画像情報として取得し、
前記付箋情報取得手段は、前記スキャナのフラットベッドに載置された付箋と原稿とをともにスキャンして得られる画像情報から、前記付箋情報を取得し、
画像情報送信制御手段は、前記付箋情報取得手段によって取得された付箋情報と関連付けて前記記憶部に記憶されている送信情報に基づいて、前記画像情報と、前記自動読み取り画像情報と、を前記記憶装置にあてて通信部に送信させることを特徴とする請求項１ないし５の何れか１項に記載の画像情報処理装置。
【請求項７】
前記付箋情報取得手段は、
前記画像情報取得手段が複数ページ分の前記画像情報を取得したときに、それぞれのページに対応する画像情報から付箋情報の取得を試み、
前記画像情報送信手段は、
前記付箋情報取得手段が第１のページに対応する画像情報から第１の前記付箋情報を取得し、かつ、第１のページよりも後のページである第２のページに対応する画像情報から第２の前記付箋情報とを取得した場合に、前記記憶部に前記第１の付箋情報に関連付けて記憶されている前記送信情報に基づいて、前記第１のページから、前記第２のページの前のページまでに対応する画像情報を前記記憶装置にあてて通信部に送信させ、前記記憶部に前記第２の付箋情報に関連付けて記憶されている前記送信情報に基づいて、前記第２のページ以降のページに対応する前記画像情報を前記記憶装置にあてて通信部に送信させることを特徴とする請求項１ないし６の何れか１項に記載の画像情報処理装置。
【請求項８】
前記送信情報は、
ネットワーク上で事業者が提供するオンラインストレージサービスを特定するための情報と、オンラインストレージサービスにログインするための情報とを含むことを特徴とする請求項２ないし７の何れか１項に記載の画像情報処理装置。
【請求項９】
前記領域指示情報は、オンラインストレージサービス内の記憶領域を特定するための情報を含むことを特徴とする請求項８に記載の画像情報処理装置。
【請求項１０】
前記プロセッサは、
前記画像情報取得手段が取得した前記画像情報から付箋の画像を示す情報を削除する付箋画像削除手段と
して機能し、
前記画像情報送信手段は、
前記付箋情報取得手段によって前記付箋情報が取得され、かつ、前記付箋画像削除手段が付箋の画像を示す情報を削除したときに、前記送信情報に基づいて、前記付箋画像削除手段によって付箋の画像を示す情報が削除された前記画像情報を前記記憶装置にあてて通信部に送信させることを特徴とする請求項１ないし９の何れか１項に記載の画像情報処理装置。
【請求項１１】
画像情報処理装置のコンピュータが読み取り可能なプログラムであって、
原稿と付箋とをともにスキャンして得られる画像情報を取得する画像情報取得手段と、
前記画像情報取得手段が前記画像情報を取得したときに、付箋の色と付箋に記された記号と付箋の形状と付箋の寸法と付箋の向きとの少なくとも１つを含む付箋情報を、前記画像情報から取得する付箋情報取得手段と、
前記付箋情報と、前記画像情報処理装置の外部に設けられた記憶装置に所定の情報を送信するために必要な情報である送信情報とを関連付けて記憶部に記憶させる記憶制御手段と、
前記付箋情報取得手段によって前記付箋情報が取得されたときに、前記付箋情報取得手段によって取得された付箋情報と関連付けて前記記憶部に記憶されている送信情報に基づいて、前記画像情報を前記記憶装置にあてて通信部に送信させる画像情報送信制御手段と、
して前記コンピュータを機能させることを特徴とするプログラム。
【発明の詳細な説明】
【技術分野】
【０００１】
本発明は、原稿をスキャンすることにより得られる画像データをオンラインストレージサービス等の記憶装置に送信するための画像情報処理装置、およびプログラムに関する。
【背景技術】
【０００２】
近年、下記特許文献に記載されているように、原稿をスキャンすることにより得られる画像データ等を、オンラインストレージサービス等の記憶装置に送信し、アップロードするための技術の開発が進められている。
【先行技術文献】
【特許文献】
【０００３】
【特許文献１】特開２００８−２２９９９３号公報
【発明の概要】
【発明が解決しようとする課題】
【０００４】
上記特許文献に記載の画像情報処理装置によれば、画像情報処理装置の外部に画像データ等を記憶させることが可能となり、データの共有化，画像情報処理装置内での保存データの削減等を図ることが可能となる。ただし、オンラインストレージサービス等の記憶装置にデータを送信するためには、送信毎に送信先を選択する必要があり、利便性が低い。本発明は、そのような事情に鑑みてなされたものであり、画像データをオンラインストレージサービス等の記憶装置に送信する際の利便性を向上させるための技術を提供する。
【課題を解決するための手段】
【０００５】
上記課題を解決するために、本発明に記載の画像情報処理装置は、プロセッサを備える画像情報処理装置であって、前記プロセッサは、原稿と付箋とをともにスキャンして得られる画像情報を取得する画像情報取得手段と、前記画像情報取得手段が前記画像情報を取得したときに、付箋の色と付箋に記された記号と付箋の形状と付箋の寸法と付箋の向きとの少なくとも１つを含む付箋情報を、前記画像情報から取得する付箋情報取得手段と、前記付箋情報と、前記画像情報処理装置の外部に設けられた記憶装置に所定の情報を送信するために必要な情報である送信情報とを関連付けて記憶部に記憶させる記憶制御手段と、前記付箋情報取得手段によって前記付箋情報が取得されたときに、前記付箋情報取得手段によって取得された付箋情報と関連付けて前記記憶部に記憶されている送信情報に基づいて、前記画像情報を前記記憶装置にあてて通信部に送信させる画像情報送信制御手段と、して機能することを特徴とする。
【０００６】
また、上記課題を解決するために、本発明に記載のプログラムは、画像情報処理装置のコンピュータが読み取り可能なプログラムであって、原稿と付箋とをともにスキャンして得られる画像情報を取得する画像情報取得手段と、前記画像情報取得手段が前記画像情報を取得したときに、付箋の色と付箋に記された記号と付箋の形状と付箋の寸法と付箋の向きとの少なくとも１つを含む付箋情報を、前記画像情報から取得する付箋情報取得手段と、前記付箋情報と、前記画像情報処理装置の外部に設けられた記憶装置に所定の情報を送信するために必要な情報である送信情報とを関連付けて記憶部に記憶させる記憶制御手段と、前記付箋情報取得手段によって前記付箋情報が取得されたときに、前記付箋情報取得手段によって取得された付箋情報と関連付けて前記記憶部に記憶されている送信情報に基づいて、前記画像情報を前記記憶装置にあてて通信部に送信させる画像情報送信制御手段と、して前記コンピュータを機能させることを特徴とする。
【発明の効果】
【０００７】
本発明に記載の画像情報処理装置および、プログラムによれば、原稿とともにスキャンされた付箋の色等の付箋情報に基づいて、画像データの送信先が決定され、決定された送信先に画像データが自動的に送信される。つまり、画像データの送信先に応じた付箋とともに、原稿をスキャンすることで、原稿の画像データを、オンラインストレージサービス等の記憶装置に送信することが可能となる。これにより、オンラインストレージサービス等の記憶装置にデータを送信する際に送信先を選択する必要がなくなり、利便性が向上する。
【０００８】
本明細書に記載の画像情報処理装置等では、付箋情報に基づいて、記憶装置内の記憶領域を決定し、決定された記憶領域に画像データを自動的にアップロードすることが可能である。これにより、画像データを、オンラインストレージサービス内のフォルダに自動でアップロードすることが可能となり、フォルダ選択を行う必要もなくなる。
【０００９】
本明細書に記載の画像情報処理装置等では、付箋の色と付箋に記載された記号との一方に基づいて、画像データの送信先の記憶装置を決定し、付箋の色と付箋に記載された記号との他方に基づいて、画像データの送信先の記憶装置内の記憶領域を決定することが可能である。一般的に流通している付箋には、種々の色の付箋があり、表面には、容易に記号等を記載することが可能である。これにより、特殊な付箋を用いることなく、一般的に流通している付箋を利用することが可能となり、利便性が向上する。
【００１０】
本明細書に記載の画像情報処理装置等では、ユーザにより入力された画像データの送信先に関する情報と付箋情報とを関連付けて記憶し、記憶された情報に基づいて、画像データの送信先を決定することが可能である。これにより、画像データの送信先を任意に設定することが可能となる。
【００１１】
本明細書に記載の画像情報処理装置等では、付箋情報と送信情報とが関連付けて記憶されていない場合に、画像データの送信先に関する情報の入力要求をユーザに報知することが可能である。そして、ユーザにより入力された情報と付箋情報とを関連付けて記憶することが可能である。つまり、未登録の送信先に関する情報が付箋情報と関連付けて記憶される。これにより、再度の送信先に関する情報の入力を省くことが可能となり、利便性が向上する。
【００１２】
本明細書に記載の画像情報処理装置等では、付箋の貼着された原稿が、スキャナのフラットベッドに載置され、スキャンされる。また、付箋の貼着されていない原稿は、オートフィーダー機構を利用してスキャンされる。これにより、付箋のオートフィーダー機構への巻き込み等を防止することが可能となる。
【００１３】
本明細書に記載の画像情報処理装置等では、第１のページの画像データから第１の付箋情報が取得され、第１のページよりも後のページである第２のページから第２の付箋情報が取得された場合に、第１のページから第２のページの前のページまでの画像データを、第１の付箋情報に応じた記憶装置に送信することが可能である。また、第２のページ以降の画像データを、第２の付箋情報に応じた記憶装置に送信することが可能である。これにより、複数枚の原稿により構成される原稿群を、原稿群に応じた記憶装置に送信することが可能となる。
【００１４】
本明細書に記載の画像情報処理装置では、送信情報を、オンラインストレージサービスを特定するための情報と、オンラインストレージサービスへのログイン情報とすることが可能である。これにより、画像データをオンラインストレージに送信する際に、オンラインストレージの選択および、ログイン情報の入力を省くことが可能となる。
【００１５】
本明細書に記載の画像情報処理装置では、記憶装置内の記憶領域を特定するための情報を、オンラインストレージサービス内の記憶領域を特定するための情報とすることが可能である。これにより、フォルダ選択を行うことなく、オンラインストレージの特定のフォルダに、画像データをアップロードすることが可能となる。
【００１６】
本明細書に記載の画像情報処理装置では、スキャンにより得られた画像データから、付箋の画像を示すデータを削除し、付箋の画像を示すデータの削除された画像データを、記憶装置に送信することが可能である。これにより、原稿の画像データのみを記憶装置に記憶させることが可能となる。
【図面の簡単な説明】
【００１７】
【図１】ＭＦＰ１０のブロック図である。
【図２】付箋５２の貼着された原稿５０を概略的に示す図である。
【図３】記号の記された付箋５２を概略的に示す図である。
【図４】ＭＦＰ１０の動作フローチャートを示す図である。
【図５】ＭＦＰ１０の動作フローチャートを示す図である。
【図６】ＭＦＰ１０の動作フローチャートを示す図である。
【図７】変形例の付箋５２の貼着された原稿５０を概略的に示す図である。
【図８】フラットベッド６０に隣り合って載置された原稿５０と付箋５２とを示す図である。
【発明を実施するための形態】
【００１８】
＜ＭＦＰの構成＞
図１に、本願に係る実施形態として例示されるＭＦＰ（Multifunction Peripheralの略）１０のブロック図を示す。ＭＦＰ１０は、ＣＰＵ（Central Processing Unitの略）１２、記憶部１４、パネル１６、ボタン入力部１８、プリンタ２０、スキャナ２２、ネットワークインターフェース２４を主に備えている。これらの構成要素は、入出力ポート３０を介して互いに通信可能とされている。
【００１９】
ＣＰＵ１２は、記憶部１４内のプログラム３４に従って処理を実行する。以降、スキャンプログラム３４ａやオペレーティングシステム３４ｂなど、プログラムを実行するＣＰＵ１２のことを、単にプログラム名でも記載する場合がある。例えば、「スキャンプログラム３４ａが」という記載は、「スキャンプログラム３４ａを実行するＣＰＵ１２が」ということを意味する場合がある。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２０】
記憶部１４は、プログラム３４を記憶する。プログラム３４は、スキャンプログラム３４ａ、オペレーティングシステム３４ｂ（ＯＳ３４ｂと略して記載する場合もある）を含む。スキャンプログラム３４ａは、原稿をスキャンし、スキャンした原稿のデータを所定のオンラインストレージサービスに送信するためのプログラムである。記憶部１４は、コンピュータが読み取り可能なストレージ媒体であってよい。コンピュータが読み取り可能なストレージ媒体とは、ＲＯＭ、ＲＡＭ、フラッシュメモリー、ハードディスクなどのnon-transitoryな媒体である。インターネット上のサーバなどからダウンロードされるプログラムを搬送する電気信号は、non-transitoryな媒体には含まれない。
【００２１】
オペレーティングシステム３４ｂは、スキャンプログラム３４ａに利用される基本的な機能を提供するプログラムである。ＯＳ３４ｂは、記憶部１４，パネル１６，ボタン入力部１８などを制御するプログラムなどを含む。
【００２２】
また、記憶部１４は、データ記憶領域１４ａを備える。データ記憶領域１４ａは、画像データ等を記憶する領域である。スキャンプログラム３４ａは、ＯＳ３４ｂを介して、画像データ等をデータ記憶領域１４ａに記憶させるためのデータを出力する。若しくは、スキャンプログラム３４ａは、ＯＳ３４ｂを介して、データ記憶領域１４ａが記憶している画像データ等を取得する。
【００２３】
ネットワークインターフェース２４は、各種データを、ネットワーク３２を介して外部装置と通信するものである。また、ネットワークインターフェース２４は、ネットワーク３２を介して、複数のオンラインストレージサービス３３ａ、３３ｂ、３３ｃに接続される。オンラインストレージサービス３３ａ、３３ｂ、３３ｃは、各種データを記憶するためのサービスであり、ネットワーク上で事業者によって提供されている。
【００２４】
パネル１６は、ＭＦＰ１０の各種機能を表示する表示面を備える。スキャンプログラム３４ａは、表示用の画像データを出力し、ＯＳ３４ｂを介してパネル１６に表示させる。ボタン入力部１８は、ユーザによるボタン操作を受け付ける。スキャンプログラム３４ａは、ＯＳ３４ｂを介して、ユーザによるボタン操作内容を示すデータを取得する。プリンタ２０は、印刷を実行する部位である。
【００２５】
スキャナ２２は、イメージセンサ２３を有しており、原稿台（図示省略）若しくは、フラットベッド（図示省略）にセットされた原稿等を、イメージセンサ２３によってスキャンする。スキャンプログラム３４ａは、ＯＳ３４ｂを介して、イメージセンサ２３によりスキャンされた画像データを取得する。
【００２６】
ここで、「データ」および「情報」の文言の定義を説明する。本明細書では、「データ」と「情報」では「情報」を「データ」の上位概念として用いている。そのため、「Ａデータ」を「Ａ情報」と言い換えてもよい。また、「Ａデータ」から複製された、または、変換された「Ｂデータ」は、「Ａデータ」と同等の意味を持って使用される限り「Ａ情報」である。
【００２７】
＜ＭＦＰによる画像データのオンラインストレージサービスへの自動送信＞
本実施形態に係るＭＦＰ１０の動作を説明する。ＭＦＰ１０では、スキャンプログラム３４ａを用いて、原稿がスキャンされ、スキャンされた画像データが自動的に所定のオンラインストレージサービスに送信される。詳しくは、ユーザは、原稿をスキャンする前に、図２に示すように、原稿５０の上端部に付箋５２を貼着する。付箋５２は、裏面の少なくとも一部に剥がし易い糊が塗布された紙片であり、概して矩形である。
【００２８】
ユーザは、原稿５０に貼着する付箋５２の表面に、画像データの送信先のオンラインストレージサービス３３に応じた記号を記載しておく。具体的には、ユーザが、第１のオンラインストレージサービス３３ａに画像データを送信したい場合には、図３に示すように、付箋５２ａの表面に「Ａ」と記載する。また、ユーザは、第２のオンラインストレージサービス３３ｂに画像データを送信したい場合には、付箋５２ｂの表面に「Ｂ」と記載し、第３のオンラインストレージサービス３３ｃに画像データを送信したい場合には、付箋５２ｃの表面に「Ｃ」と記載する。
【００２９】
また、ユーザは、記号を記載する付箋５２の色を、各オンラインストレージサービス３３内のアップロード先のフォルダに応じて、選択する。具体的には、ユーザは、各オンラインストレージサービス３３内の第１のフォルダに画像データをアップロードしたい場合には、赤色の付箋５２の表面に記号を記載する。また、ユーザは、各オンラインストレージサービス３３内の第２のフォルダに画像データをアップロードしたい場合には、青色の付箋５２の表面に記号を記載し、第３のフォルダに画像データをアップロードしたい場合には、黄色の付箋５２の表面に記号を記載する。つまり、例えば、付箋５２ａが赤色であり、ユーザが第１のオンラインストレージサービス３３ａの第１のフォルダに画像データをアップロードしたい場合には、赤色の付箋５２ａに「Ａ」と記載する。そして、その赤色の付箋５２ａが貼着された原稿５０を、ＭＦＰ１０のスキャナ２２によりスキャンすることで、その原稿５０の画像データは、第１のオンラインストレージサービス３３ａの第１のフォルダにアップロードされる。以下に、付箋５２に応じたオンラインストレージサービス３３の各フォルダに、画像データがアップロードされる仕組みについて説明する。
【００３０】
まず、付箋５２が貼着された原稿５０のスキャンにより、ＣＰＵ１２は、原稿の画像データを取得する。そして、ＣＰＵ１２は、画像データから付箋５２のデータを抽出する。詳しくは、ＣＰＵ１２は、画像データから付箋５２の形状に着色された領域を抽出し、該領域の色を認識する。また、該領域内に存在する記号を認識する。そして、ＣＰＵ１２は、認識された色および記号に関するデータを、付箋データとして取得する。
【００３１】
データ記憶領域１４ａには、付箋データと画像データのアップロード先、つまり、各オンラインストレージサービス３３の各フォルダとが関連付けて記憶されており、ＣＰＵ１２は、取得した付箋データに応じて、画像データのアップロード先を決定する。具体的には、記号「Ａ」に関する付箋データと第１のオンラインストレージサービス３３ａとが関連付けて記憶され、記号「Ｂ」に関する付箋データと第２のオンラインストレージサービス３３ｂとが関連付けて記憶され、記号「Ｃ」に関する付箋データと第３のオンラインストレージサービス３３ｃとが関連付けて記憶されている。また、赤色の付箋５２に関する付箋データと第１のフォルダとが関連付けて記憶され、青色の付箋５２に関する付箋データと第２のフォルダとが関連付けて記憶され、黄色の付箋５２に関する付箋データと第３のフォルダとが関連付けて記憶されている。このため、例えば、ＣＰＵ１２は、赤色の付箋５２および、記号「Ａ」に関する記号を、付箋データとして取得した場合には、画像データのアップロード先として、第１のオンラインストレージサービス３３ａの第１のフォルダが決定される。
【００３２】
画像データのアップロード先が決定されると、ＣＰＵ１２は、ネットワークインターフェース２４を、ネットワーク３２を介して、決定されたアップロード先に接続する。詳しくは、データ記憶領域１４ａには、各オンラインストレージサービス３３のＵＲＬ（Uniform Resource Locatorの略）、各オンラインストレージサービス３３へのログイン情報、各オンラインストレージサービス３３の各フォルダを特定するための情報が記憶されており、ＣＰＵ１２は、ＵＲＬ等の各種情報に基づいて、ネットワークインターフェース２４をアップロード先のフォルダに接続する。そして、接続されたフォルダに画像データが送信される。これにより、原稿５０に貼着された付箋５２に応じた送付先に、画像データがアップロードされる。
【００３３】
このように、ＭＦＰ１０では、付箋５２の貼着された原稿５０をスキャンするだけで、付箋５２に応じたオンラインストレージサービス３３のフォルダに、画像データを送信し、そのフォルダに画像データをアップロードすることが可能となる。これにより、オンラインストレージサービス３３のＵＲＬ、オンラインストレージサービス３３へのログイン情報等の入力を省くことが可能となり、オンラインストレージサービス３３のフォルダへのアップロードを容易に行うことが可能となる。
【００３４】
また、ＭＦＰ１０では、付箋の色および、付箋５２に記された記号に応じて、送信先のオンラインストレージサービス３３および、フォルダが決定される。一般的に流通している付箋には、種々の色の付箋があり、表面には、容易に記号等を記載することが可能である。これにより、特殊な付箋を用いることなく、一般的に流通している付箋を利用することが可能となり、利便性が向上する。
【００３５】
＜付箋画像の削除＞
送信される画像データには、付箋５２の画像を削除する処理が施されている。詳しくは、スキャンにより得られた画像データから着色された領域が抽出される際に、その領域を原稿の色で塗りつぶす処理が、画像データに対して行われる。これにより、スキャンにより得られた画像データから、付箋５２に関するデータが削除され、原稿５０に関するデータのみを、オンラインストレージサービス３３のフォルダにアップロードすることが可能となる。
【００３６】
＜原稿群のオンラインストレージサービスへの自動送信＞
また、複数枚の原稿５０によって構成される１つの原稿群が、オンラインストレージサービス３３のフォルダにアップロードされる場合には、複数枚の原稿５０の１番最初にスキャンされる原稿に、付箋５２が貼着される。詳しくは、オートフィーダー機構を利用して、複数枚の原稿５０をスキャンする際、つまり、原稿台に載置された複数枚の原稿５０を自動でスキャンする際には、先頭の原稿５０に付箋５２が貼着される。ただし、付箋５２が貼着された原稿５０をオートフィーダー機構によりスキャンすると、付箋５２が原稿５０から剥がれる虞がある。
【００３７】
このため、先頭の原稿に付箋５２を貼着し、その原稿５０をフラットベッドに載置してスキャンを行うことが望ましい。そして、残りの原稿５０を、オートフィーダー機構を利用してスキャンすることが望ましい。これにより、付箋５２の原稿５０からの剥がれを防止することが可能となる。なお、この場合には、フラットベッドに載置され、スキャンされた原稿の画像データから付箋データが取得される。そして、その画像データと、オートフィーダー機構を利用してスキャンされた原稿の画像データとが、付箋データに応じたオンラインストレージのフォルダに自動でアップロードされる。
【００３８】
＜複数の原稿群のオンラインストレージサービスへの自動送信＞
また、複数の原稿群が、オンラインストレージサービス３３のフォルダ毎にアップロードされる場合には、原稿群毎の先頭の原稿５０に、付箋５２が貼着される。詳しくは、フラットベッドへの原稿の載置によるスキャンと、オートフィーダー機構を利用したスキャンとを併用する場合には、第１の原稿群の先頭の原稿５０に付箋５２を貼着し、その原稿５０を、フラットベッドに載置してスキャンを行う。そして、第１の原稿群の残りの原稿５０を、オートフィーダー機構によりスキャンを行う。続いて、第２の原稿群の先頭の原稿５０に付箋５２を貼着し、その原稿５０を、フラットベッドに載置してスキャンを行う。そして、第２の原稿群の残りの原稿５０を、オートフィーダー機構によりスキャンを行う。
【００３９】
この際、ＣＰＵ１２は、第１の原稿群の先頭の原稿５０から付箋データ（第１付箋データと記載する場合がある）を取得し、第２の原稿群の先頭の原稿５０から付箋データ（第２付箋データと記載する場合がある）を取得する。ＣＰＵ１２は、第１の原稿群の先頭の原稿５０から、第２の原稿群の先頭の原稿の前の原稿までの画像データを、第１の原稿群の画像データとして、取得する。そして、第１の原稿群の画像データが、第１の付箋データに応じたオンラインストレージサービス３３のフォルダにアップロードされる。また、ＣＰＵ１２は、第２の原稿群の先頭の原稿以降の画像データを、第２の原稿群の画像データとして、取得する。そして、第２の原稿群の画像データが、第２の付箋データに応じたオンラインストレージサービス３３のフォルダにアップロードされる。これにより、複数の原稿群を、オンラインストレージサービス３３のフォルダ毎にアップロードすることが可能となる。
【００４０】
＜未登録の付箋データに応じたオンラインストレージサービスへの送信＞
また、ＣＰＵ１２によって取得された付箋データが、画像データの送信先と関連付けて記憶されていない場合には、画像データの送信先に関する情報がユーザにより入力される。詳しくは、画像データの送信先と関連付けて記憶されていない付箋データが、ＣＰＵ１２によって取得された場合には、まず、画像データの送信先に関する情報の入力をユーザに要求する画面が、パネル１６に表示される。そして、ユーザのボタン入力部１８へのオンラインストレージサービス３３のＵＲＬ等の入力により、ネットワークインターフェース２４が、任意のオンラインストレージサービス３３に接続される。そして、ユーザのボタン入力部１８へのオンラインストレージサービス３３のログイン情報等の入力により、パネル１６にオンラインストレージサービス３３のフォルダ選択画面が表示される。このフォルダ選択画面からのフォルダ選択により、画像データの送信先が決定し、そのフォルダに画像データが送信される。なお、入力された画像データの送信先に関する情報は、ＣＰＵ１２によって取得された付箋データと関連付けて、データ記憶領域１４ａに記憶され、次回からの画像データの送信に利用される。
【００４１】
＜スキャンプログラム＞
上述したスキャン処理および、画像データのオンラインストレージサービス３３への自動送信は、スキャンプログラム３４ａがＭＦＰ１０のＣＰＵ１２によって実行されることで行われる。以下に、図４乃至図６を用いて、原稿５０をスキャンし、スキャンにより得られたデータを、オンラインストレージサービス３３に自動で送信するためのフローを説明する。
【００４２】
ＭＦＰ１０の電源が入り、スキャンプログラム３４ａが起動されると、図４乃至図６に示すフローの処理が開始される。Ｓ１００において、ＣＰＵ１２は、フラットベッド若しくは、原稿台に載置された原稿５０のスキャン処理を実行する。原稿５０が複数ある場合には、＜原稿群のオンラインストレージサービスへの自動送信＞に記載されているように、複数枚の原稿５０のスキャン処理を順次実行する。そして、Ｓ１０２に進む。Ｓ１０２において、ＣＰＵ１２は、全ての原稿のスキャン処理が終了したか否かを判定する。全ての原稿のスキャン処理が終了していない場合（Ｓ１０２：ＮＯ）には、Ｓ１００に戻る。一方、全ての原稿のスキャン処理が終了している場合（Ｓ１０２：ＹＥＳ）には、Ｓ１０４に進む。
【００４３】
Ｓ１０４において、ＣＰＵ１２は、スキャン処理を行った原稿５０に付箋５２が貼着されているか否かを判定する。詳しくは、ＣＰＵ１２は、＜ＭＦＰによる画像データのオンラインストレージサービスへの自動送信＞に述べたように、スキャン処理により得られた画像データから、付箋５２の形状に着色された領域を抽出したか否かを判定する。付箋５２の形状に着色された領域が抽出された場合（Ｓ１０４：ＹＥＳ）には、Ｓ１０６に進む。
【００４４】
Ｓ１０６において、ＣＰＵ１２は、スキャン処理により得られた画像データから付箋データを取得する。詳しくは、ＣＰＵ１２は、＜ＭＦＰによる画像データのオンラインストレージサービスへの自動送信＞に述べたように、スキャン処理により得られた画像データから、付箋の色および、付箋に記された記号に関する情報を取得する。そして、Ｓ１０８に進む。
【００４５】
Ｓ１０８において、ＣＰＵ１２は、スキャン処理により得られた画像データから、付箋５２の画像を削除する処理を行う。詳しくは、ＣＰＵ１２は、＜付箋画像の削除＞に述べたように、スキャン処理により得られた画像データから着色された領域が抽出された際に、その領域を原稿の色で塗りつぶす処理が、画像データに対して行われる。そして、Ｓ１１０に進む。
【００４６】
Ｓ１１０において、ＣＰＵ１２は、取得した付箋データが、オンラインストレージサービス３３のフォルダと関連付けて記憶されているか否かを判定する。詳しくは、ＣＰＵ１２は、ＯＳ３４ｂを介して、付箋データとオンラインストレージサービス３３のフォルダとの関連付けられた情報を、データ記憶領域１４ａから取得する。そして、その情報に基づいて、取得した付箋データが、オンラインストレージサービス３３のフォルダと関連付けられているか否かを判定する。取得した付箋データが、オンラインストレージサービス３３のフォルダと関連付けられている場合（Ｓ１１０：ＹＥＳ）には、Ｓ１１２に進む。
【００４７】
Ｓ１１２において、ＣＰＵ１２は、取得した付箋データに関連付けられているオンラインストレージサービス３３のフォルダに、画像データをアップロードする。詳しくは、ＣＰＵ１２は、＜ＭＦＰによる画像データのオンラインストレージサービスへの自動送信＞に述べたように、オンラインストレージサービス３３のＵＲＬ等の各種情報に基づいて、ネットワークインターフェース２４を送信先のフォルダに接続するためのデータを、ＯＳ３４ｂを介して出力する。そして、ＣＰＵ１２は、接続されたフォルダに画像データを送信するためのデータを、ＯＳ３４ｂを介して出力する。そして、Ｓ１１４に進む。
【００４８】
Ｓ１１４において、ＣＰＵ１２は、先に取得した付箋データと別の付箋データを取得しているか否かを判定する。詳しくは、＜複数の原稿群の画像データのオンラインストレージサービスへの自動送信＞に述べたように、先に取得した付箋データによって示される付箋５２とともにスキャンされた原稿５０と異なる原稿から、付箋５２の形状に着色された領域を抽出したか否かを判定する。先に取得した付箋データと別の付箋データを取得した場合（Ｓ１１４：ＹＥＳ）には、Ｓ１０６に戻る。一方、先に取得した付箋データと別の付箋データを取得していない場合（Ｓ１１４：ＮＯ）には、スキャンプログラム３４ａの実行が終了する。
【００４９】
また、Ｓ１１０で、取得した付箋データが、オンラインストレージサービス３３のフォルダと関連付けられていない場合（Ｓ１１０：ＮＯ）には、Ｓ１１６に進む。Ｓ１１６において、ＣＰＵ１２は、図６に示すアップロード処理サブルーチンを実行する。アップロード処理サブルーチンでは、Ｓ２００において、画像データの送信先に関する情報の入力をユーザに要求する画面をパネル１６に表示するためのデータを、ＯＳ３４ｂを介して出力する。そして、Ｓ２０１に進む。
【００５０】
Ｓ２０１において、ＣＰＵ１２は、オンラインストレージサービス３３を特定するための情報の入力により発生したデータを、ＯＳ３２ｂを介して取得したか否かを判定する。つまり、オンラインストレージサービス３３を特定するための情報が入力されたか否かを判定する。オンラインストレージサービス３３を特定するための情報が入力されていない場合（Ｓ２００：ＮＯ）には、Ｓ２００の処理が繰り返される。一方、オンラインストレージサービス３３を特定するための情報が入力された場合（Ｓ２００：ＹＥＳ）には、Ｓ２０２に進む。
【００５１】
Ｓ２０２において、ＣＰＵ１２は、オンラインストレージサービス３３にログインするための情報の入力により発生したデータを、ＯＳ３２ｂを介して取得したか否かを判定する。つまり、オンラインストレージサービス３３のログイン情報が、入力されたか否かを判定する。オンラインストレージサービス３３のログイン情報が入力されていない場合（Ｓ２０２：ＮＯ）には、Ｓ２０２の処理が繰り返される。一方、オンラインストレージサービス３３のログイン情報が入力された場合（Ｓ２０２：ＹＥＳ）には、Ｓ２０４に進む。
【００５２】
Ｓ２０４において、ＣＰＵ１２は、オンラインストレージサービス３３のフォルダ選択画面をパネル１６に表示するためのデータを、ＯＳ３４ｂを介して出力する。そして、Ｓ２０６に進む。Ｓ２０６において、ＣＰＵ１２は、オンラインストレージサービス３３のフォルダ選択画面でのフォルダの選択により発生したデータを、ＯＳ３２ｂを介して取得したか否かを判定する。つまり、オンラインストレージサービス３３のフォルダ選択画面においてフォルダが選択されたか否かを判定する。オンラインストレージサービス３３のフォルダ選択画面においてフォルダが選択されていない場合（Ｓ２０６：ＮＯ）には、Ｓ２０６の処理が繰り返される。一方、オンラインストレージサービス３３のフォルダ選択画面においてフォルダが選択された場合（Ｓ２０６：ＹＥＳ）場合には、Ｓ２０８に進む。
【００５３】
Ｓ２０８において、ＣＰＵ１２は、選択されたフォルダに、画像データをアップロードする。詳しくは、ＣＰＵ１２は、＜未登録の付箋データに応じたオンラインストレージサービスへの送信＞に述べたように、ネットワークインターフェース２４を、フォルダ選択画面において選択されたフォルダに接続するためのデータを、ＯＳ３２ｂを介して出力する。そして、ＣＰＵ１２は、接続されたフォルダに画像データを送信するためのデータを、ＯＳ３４ｂを介して出力する。そして、アップロード処理サブルーチンの処理を終了する。
【００５４】
アップロード処理サブルーチンの処理が終了すると、Ｓ１１８に進む。Ｓ１１８において、ＣＰＵ１２は、取得した付箋データと、入力されたオンラインストレージサービス３３のＵＲＬ等の送信情報とを関連付けて、データ記憶領域１４ａに記憶するためのデータを、ＯＳ３４ｂを介して出力する。そして、Ｓ１１４に進み、以降の処理が、上述したように、実行される。
【００５５】
また、Ｓ１０４で、スキャンされた画像データから付箋５２の形状に着色された領域が抽出されない場合（Ｓ１０４：ＮＯ）には、Ｓ１２０において、ＣＰＵ１２は、図６に示すアップロード処理サブルーチンを実行する。なお、Ｓ１２０におけるアップロード処理サブルーチンは、Ｓ１１６におけるアップロード処理サブルーチンと同じ処理であるため、説明は省略する。Ｓ１２０におけるアップロード処理サブルーチンが終了すると、スキャンプログラム３４ａの実行が終了する。
【００５６】
＜変形例＞
本実施形態のＭＦＰ１０では、付箋５２が横向きの状態で原稿５０に貼着されているが、図７に示すように、付箋５２を縦向きの状態で原稿５０に貼着することが可能である。この際、付箋５２の裏面の原稿５０への貼着部が、付箋５２の上端部に位置するように、原稿５０に貼着することが望ましい。このように、付箋５２を原稿５０に貼着することで、付箋５２の貼着された原稿５０を、オートフィーダ機構を利用してスキャン処理を行った際に、付箋５２の原稿５０からの剥がれを抑制することが可能となる。
【００５７】
また、本実施形態のＭＦＰ１０では、付箋５２の貼着された原稿５０がスキャンされているが、付箋５２を原稿５０に貼着することなく、付箋５２を原稿５０とともにスキャンすることが可能である。具体的には、図８に示すように、フラットベッド６０の上に原稿５０を載置し、その原稿５０の隣に付箋５２を載置して、付箋５２を原稿５０とともにスキャンすることが可能である。
【００５８】
また、本実施形態のＭＦＰ１０では、付箋５２の色、および付箋５２に記載された記号に基づいて、画像データの送信先が決定されるが、付箋５２の形状、付箋５２の寸法、付箋５２の原稿５０への貼着方向に基づいて、画像データの送信先を決定することが可能である。
【００５９】
また、上述した画像データの自動送信処理を実行する装置は、ＭＦＰ１０に限られない。具体的には、ネットワーク３２を介して画像データを送信可能な装置であれば、スマートフォン等の携帯端末、パーソナルコンピュータ等、種々の装置を採用することが可能である。
【００６０】
本実施形態例のＭＦＰ１０では、スキャンプログラム３４ａに基づいて実行するＣＰＵ１２が、各種の処理を行う場合を説明した。しかし、この形態に限られない。スキャンプログラム３４ａに基づいて実行するＣＰＵ１２が、ＯＳ３４ｂ、他のシステム、ハード構成に対して、各種の処理を行わせる指示を出す形態であってもよい。
【００６１】
また、上記実施例では、スキャンプログラム３４ａの実行により図４乃至図６に示すフローが実行されるが、そのフローにおいて、Ｓ１０２，Ｓ１０４，Ｓ１０８，Ｓ１１４〜Ｓ１２０の処理を行わないことも可能である。なお、上記処理の全てを行わないのではなく、上記処理のうち、いずれかの処理を任意に加えたフローとすることも可能である。
【００６２】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【００６３】
ＭＦＰ１０は画像情報処理装置の一例である。ＣＰＵ１２は、コンピュータおよびプロセッサの一例である。データ記憶領域１４ａは、記憶部の一例である。スキャナ２２は、スキャナの一例である。ネットワークインターフェース２４は、通信部の一例である。オンラインストレージサービス３３は、記憶装置およびオンラインストレージサービスの一例である。スキャンプログラム３４ａはプログラムの一例である。原稿５０は、原稿の一例である。付箋５２は、付箋の一例である。フラットベッド６０は、フラットベッドの一例である。Ｓ１００を実行するＣＰＵ１２は、画像情報取得手段の一例である。Ｓ１０６を実行するＣＰＵ１２は、付箋情報取得手段の一例である。Ｓ１１２を実行するＣＰＵ１２は、画像情報送信制御の一例である。Ｓ１０８を実行するＣＰＵ１２は、付箋画像削除手段の一例である。Ｓ１１８を実行するＣＰＵ１２は、記憶制御手段の一例である。Ｓ２００を実行するＣＰＵ１２は、報知情報出力手段の一例である。Ｓ２０１、Ｓ２０２、Ｓ２０６を実行するＣＰＵ１２は、ユーザ入力情報取得手段の一例である。付箋データは、付箋情報の一例である。フォルダは、記憶領域の一例である。
【００６４】
なお、各プログラムは一つのプログラムモジュールから構成されるものであってもよいし、複数のプログラムモジュールから構成されるものであってもよい。また、各一例は置換可能な他の構成であってもよく、本発明の範疇である。スキャンプログラム３４ａに基づく処理を実行するＣＰＵ１２などのコンピュータであってもよいし、オペレーティングシステムや他のアプリケーション、プログラムなど、スキャンプログラム以外のプログラムに基づく処理を実行するコンピュータであってもよいし、コンピュータの指示に従って動作するハード構成（パネル１６など）であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【符号の説明】
【００６５】
１０：ＭＦＰ、１２：ＣＰＵ、１４ａ：データ記憶領域、２２：スキャナ、２４：ネットワークインターフェース、３３：オンラインストレージサービス、３４ａ：スキャンプログラム、５０：原稿、５２：付箋、６０：フラットベッド
【図１】
2015026978.tif 000003
【図２】
2015026978.tif 000004
【図３】
2015026978.tif 000005
【図４】
2015026978.tif 000006
【図５】
2015026978.tif 000007
【図６】
2015026978.tif 000008
【図７】
2015026978.tif 000009
【図８】
2015026978.tif 000010